(57)【特許請求の範囲】
【請求項１】
一対の鉗子片に各々駆動レバーが一体に連結形成されて、上記鉗子片と上記駆動レバーとの境界部分付近が支軸を中心に回動自在にシースの先端部分に支持され、上記駆動レバーに貫通形成されたワイヤ係合孔に先端部分が係合する操作ワイヤが上記シース内に軸線方向に進退自在に引き通されて、上記シースの基端側から上記操作ワイヤを軸線方向に進退操作することにより、上記鉗子片と上記駆動レバーとが上記支軸を中心に回動して上記鉗子片が嘴状に開閉動作をするように構成された内視鏡用鉗子において、
上記ワイヤ係合孔が、そこから上記シース内に向かう上記操作ワイヤの向きに対して鋭角的に斜め向きに上記駆動レバーに形成され、上記操作ワイヤが上記ワイヤ係合孔の向きに合わせて折り曲げられた状態で上記ワイヤ係合孔に通されて係合していることを特徴とする内視鏡用鉗子。
【請求項２】
上記操作ワイヤが、斜め向きに形成された上記ワイヤ係合孔の二つの開口端の中の前寄りの開口端から鋭角的に後方に折り曲げられて上記シース内に向かう状態に配置されている請求項１記載の内視鏡用鉗子。
【請求項３】
上記ワイヤ係合孔が、上記前寄りの開口端の径が他端側の開口端の径より大きいテーパ孔状に形成されている請求項２記載の内視鏡用鉗子。
【発明の詳細な説明】
【技術分野】
【０００１】
この発明は内視鏡用鉗子に関する。
【背景技術】
【０００２】
内視鏡用鉗子においては、一般に、一対の鉗子片に各々駆動レバーが一体に連結形成されて、鉗子片と駆動レバーとがその境界部分付近において支軸を中心に回動自在にシースの先端部分に支持され、駆動レバーに貫通形成されたワイヤ係合孔に先端部分が係合する操作ワイヤがシース内に軸線方向に進退自在に引き通されて、シースの基端側から操作ワイヤを軸線方向に進退操作することにより、鉗子片と駆動レバーとが支軸を中心に回動して鉗子片が嘴状に開閉するようになっている（例えば、特許文献１）。
【特許文献１】特開２００１−３４０３４７
【発明の開示】
【発明が解決しようとする課題】
【０００３】
図７は、特許文献１に記載された内視鏡用鉗子の、ワイヤ係合孔９１とそこに係合する操作ワイヤ９２の先端部分とを示しており、ワイヤ係合孔９１が駆動レバー９３を側方から垂直に貫通する状態に形成され、ワイヤ係合孔９１に通された状態に係合する操作ワイヤ９２の先端部分がワイヤ係合孔９１の向きに合わせて折り曲げられている。
【０００４】
しかし、そのような構成では、操作ワイヤ９２に繰り返して強い牽引力が作用すると、操作ワイヤ９２の折り曲げ部分が次第に開いて、ワイヤ係合孔９１との係合が外れたり、外れないまでも作動不良の原因になる恐れがある。
【０００５】
そこで、例えば図８に示されるように、操作ワイヤ９２の最先端部分にワイヤ係合孔９１を通過できない大きさの抜け止め９４を形成したり取り付けたりすることも考えられるが、操作ワイヤ９２の先端部分を単純に折り曲げるだけの構成に比べると製造工程が面倒になって大幅なコストアップ要因になってしまう。
【０００６】
そこで本発明は、操作ワイヤの先端部分を折り曲げるだけのコストのかからない構成で、駆動レバーに形成されたワイヤ係合孔に対して操作ワイヤを外れたり作動不良にならないように確実に係合させることができる内視鏡用鉗子を提供することを目的とする。
【課題を解決するための手段】
【０００７】
上記の目的を達成するため、本発明の内視鏡用鉗子は、一対の鉗子片に各々駆動レバーが一体に連結形成されて、鉗子片と駆動レバーとの境界部分付近が支軸を中心に回動自在にシースの先端部分に支持され、駆動レバーに貫通形成されたワイヤ係合孔に先端部分が係合する操作ワイヤがシース内に軸線方向に進退自在に引き通されて、シースの基端側から操作ワイヤを軸線方向に進退操作することにより、鉗子片と駆動レバーとが支軸を中心に回動して鉗子片が嘴状に開閉動作をするように構成された内視鏡用鉗子において、ワイヤ係合孔が、そこからシース内に向かう操作ワイヤの向きに対して鋭角的に斜め向きに駆動レバーに形成され、操作ワイヤがワイヤ係合孔の向きに合わせて折り曲げられた状態でワイヤ係合孔に通されて係合しているものである。
【０００８】
なお、操作ワイヤが、斜め向きに形成されたワイヤ係合孔の二つの開口端の中の前寄りの開口端から鋭角的に後方に折り曲げられてシース内に向かう状態に配置されていてもよい。また、ワイヤ係合孔が、前寄りの開口端の径が他端側の開口端の径より大きいテーパ孔状に形成されていてもよい。
【発明の効果】
【０００９】
本発明によれば、ワイヤ係合孔が、そこからシース内に向かう操作ワイヤの向きに対して鋭角的に斜め向きに駆動レバーに形成され、操作ワイヤがワイヤ係合孔の向きに合わせて折り曲げられた状態でワイヤ係合孔に通されて係合していることにより、操作ワイヤの先端部分を折り曲げるだけのコストのかからない構成で、駆動レバーに形成されたワイヤ係合孔に対して操作ワイヤを外れたり作動不良にならないように確実に係合させることができる。
【発明を実施するための最良の形態】
【００１０】
一対の鉗子片に各々駆動レバーが一体に連結形成されて、鉗子片と駆動レバーとの境界部分付近が支軸を中心に回動自在にシースの先端部分に支持され、駆動レバーに貫通形成されたワイヤ係合孔に先端部分が係合する操作ワイヤがシース内に軸線方向に進退自在に引き通されて、シースの基端側から操作ワイヤを軸線方向に進退操作することにより、鉗子片と駆動レバーとが支軸を中心に回動して鉗子片が嘴状に開閉動作をするように構成された内視鏡用鉗子において、ワイヤ係合孔が、そこからシース内に向かう操作ワイヤの向きに対して鋭角的に斜め向きに駆動レバーに形成され、操作ワイヤがワイヤ係合孔の向きに合わせて折り曲げられた状態でワイヤ係合孔に通されて係合している。
【実施例】
【００１１】
図面を参照して本発明の実施例を説明する。
図２は内視鏡用鉗子の全体構成を示しており、図示されていない内視鏡の処置具挿通チャンネルに挿通される例えば密着巻きコイルパイプからなる可撓性のシース１内に、操作ワイヤ２が軸線方向に進退自在に挿通配置され、前方（図において下方）に向かって嘴状に開閉する一対の鉗子片３がシース１の先端部分に配置されている。
【００１２】
シース１の基端に連結された操作部１０には、操作部本体１１の基端に固定指掛け１２が形成されて、操作部本体１１に対してスライド自在に配置された可動指掛け１３に操作ワイヤ２の基端が連結されており、可動指掛け１３を固定指掛け１２に対して移動操作することにより操作ワイヤ２がシース１内で進退して、シース１の先端で一対の鉗子片３が開閉する。
【００１３】
図３は本発明の第１の実施例の内視鏡用鉗子の先端部分を示しており、生検組織を採取するためにカップ状に形成された一対の鉗子片３は各々、その後方の駆動レバー４と一体に連結された状態に一部品として形成されている。なお、鉗子片３が鋏状又はその他の形状に形成されていてもよい。
【００１４】
シース１の先端に連結固着された先端本体５は最先端側からスリット６で二分割された形状に形成されていて、その先端付近に配置された支軸７に、鉗子片３と駆動レバー４の境界部分付近が回動自在に支持されている。
【００１５】
操作ワイヤ２は、二本がシース１内で捩じり合わされて一体的に進退するように設けられており、各操作ワイヤ２の先端部分が、各駆動レバー４に形成されたワイヤ係合孔８に通された状態に係合していて、そこから後方のシース１内に軸線方向に進退自在に引き通されている。
【００１６】
その結果、操作部１０側から操作ワイヤ２を軸線方向に進退操作することにより、シース１内で操作ワイヤ２が軸線方向に進退して、鉗子片３と駆動レバー４とが支軸７を中心に回動して一対の鉗子片３が嘴状に前方に向かって開閉動作をする。
【００１７】
図１は、そのように構成された実施例の操作ワイヤ２の先端部分とそれに係合するワイヤ係合孔８を示しており、ワイヤ係合孔８は、そこからシース１に向かう操作ワイヤ２の向きに対して鋭角的に斜め向きに駆動レバー４を貫通して形成されている。その傾斜角度はこの実施例では４５°程度であるが、実用上３０°〜６０°程度の範囲にあることが望ましい。
【００１８】
そして、操作ワイヤ２の先端部分がワイヤ係合孔８の向きに合わせて折り曲げられた状態でワイヤ係合孔８に通されて係合している。より具体的には、操作ワイヤ２の先端部分が、ワイヤ係合孔８の二つの開口端の中の前寄りの開口端８ａから鋭角に後方に折り曲げられてシース１内に向かう状態に配置されている。
【００１９】
その結果、操作ワイヤ２の先端部分は、操作部１０側から強い力で繰り返し牽引されても、駆動レバー４に形成されたワイヤ係合孔８から抜け出したり先端側が広がった状態に変形したりし難い。しかも、操作ワイヤ２の先端部分を折り曲げるだけのコストのかからない構成で、そのような確実な連結状態を得ることができる。
【００２０】
図４は、本発明の第２の実施例を示しており、ワイヤ係合孔８が、二つの開口端の中の前寄りの開口端８ａの径が他端側の開口端の径より大きいテーパ孔状に形成されている。その他の点は前述の第１の実施例と同じであり、このように構成することにより、組み立て作業時に操作ワイヤ２の先端をワイヤ係合孔８内に容易に差し込むことができる。
【００２１】
なお、第１及び第２の実施例では操作ワイヤ２が一対の駆動レバー４の間の位置（内側）を通ってシース１に向かう構成になっているが、図５及び図６に示される第３及び第４の実施例のように、操作ワイヤ２が一対の駆動レバー４の外側位置を通ってシース１に向かう構成にしても差し支えない。
【図面の簡単な説明】
【００２２】
【図１】本発明の第１の実施例の内視鏡用鉗子の操作ワイヤの先端部分とそれに係合するワイヤ係合孔部分の部分断面図である。
【図２】本発明の実施例の内視鏡用鉗子の全体構成を示す側面図である。
【図３】本発明の第１の実施例の内視鏡用鉗子の先端部分の側面断面図である。
【図４】本発明の第２の実施例の内視鏡用鉗子の操作ワイヤの先端部分とそれに係合するワイヤ係合孔部分の部分断面図である。
【図５】本発明の第３の実施例の内視鏡用鉗子の操作ワイヤの先端部分とそれに係合するワイヤ係合孔部分の部分断面図である。
【図６】本発明の第４の実施例の内視鏡用鉗子の操作ワイヤの先端部分とそれに係合するワイヤ係合孔部分の部分断面図である。
【図７】従来の内視鏡用鉗子の操作ワイヤの先端部分とそれに係合するワイヤ係合孔部分の部分断面図である。
【図８】従来の内視鏡用鉗子の操作ワイヤの先端部分とそれに係合するワイヤ係合孔部分の他の例の部分断面図である。
【符号の説明】
【００２３】
１  シース
２  操作ワイヤ
３  鉗子片
４  駆動レバー
７  支軸
８  ワイヤ係合孔
８ａ  前寄りの開口端
１０  操作部
【図１】
0004441506.tif 000002
【図２】
0004441506.tif 000003
【図３】
0004441506.tif 000004
【図４】
0004441506.tif 000005
【図５】
0004441506.tif 000006
【図６】
0004441506.tif 000007
【図７】
0004441506.tif 000008
【図８】
0004441506.tif 000009